(57)【要約】【課題】支柱構造体がコンクリート構造物に支持された状態において、前記支柱構造体が面方向へ（つまり、該コンクリート構造物の表面に沿った方向へ）移動するのを確実に阻止できるようにする。【解決手段】コンクリート構造物１には、支柱構造体３の基端部３ａを装入するための被装入手段４を設けておき、該被装入手段４には、前記支柱構造体３が挿入される挿入部４ａ１と、該支柱構造体３が螺入される螺入部４ａ２と、を前記支柱構造体３の装脱方向Ａに沿って形成しておく。該支柱構造体３のネジ部３ａ２を前記螺入部４ａ２に螺合させることにより、支柱構造体３はコンクリート構造物１に支持されることとなり、該コンクリート構造物１の面方向Ｂへの移動を確実に阻止できる。【選択図】図１
2010248796.tif 000002
【特許請求の範囲】
【請求項１】
支柱状である支柱構造体を着脱可能に支持できるように構成されたコンクリート構造物において、
前記支柱構造体の基端部を装入できるように構成された被装入手段、
を備え、
該被装入手段は、前記支柱構造体が挿入される挿入部と、該支柱構造体が螺入される螺入部と、を前記支柱構造体の装脱方向に沿って有する、
ことを特徴とするコンクリート構造物。
【請求項２】
前記被装入手段は、前記支柱構造体を装入できる、鋼製の筒状部材であり、
前記螺入部は、前記支柱構造体の基端部に形成されたネジ部に螺合され得るように突出された突起部を有する、
ことを特徴とする請求項１に記載のコンクリート構造物。
【請求項３】
前記コンクリート構造物の略全体の外形を形成する構造物本体、を備え、
前記被装入手段は、前記支柱構造体を装入することのできる装入穴を形成した状態で前記構造物本体内に埋設されてなる、
ことを特徴とする請求項２に記載のコンクリート構造物。
【請求項４】
前記コンクリート構造物の略全体の外形を形成する構造物本体と、
前記コンクリート構造物を吊り上げるための吊り上げ用部材と、
を備え、
前記被装入手段は該吊り上げ用部材に取り付けられてなる、
ことを特徴とする請求項２に記載のコンクリート構造物。
【請求項５】
前記支柱構造体が前記被装入手段に装入された状態で、該支柱構造体側のネジ部が前記被装入手段側の螺入部よりも、該被装入手段の奥側に配置されるように構成された、
ことを特徴とする請求項１に記載のコンクリート構造物。
【請求項６】
前記支柱構造体は、複数のパイプ部材が連結されて構成されている、
ことを特徴とする請求項１乃至５のいずれか１項に記載のコンクリート構造物。
【請求項７】
前記挿入部に挿入される被挿入部と、前記螺入部に螺入されるネジ部と、を備え、
請求項１乃至６のいずれか１項に記載のコンクリート構造物における前記被装入手段に着脱可能に支持される、
ことを特徴とする支柱構造体。
【発明の詳細な説明】
【技術分野】
【０００１】
本発明は、コンクリート床版等のコンクリート構造物、及び該コンクリート構造物に着脱可能に支持される支柱構造体に関する。
【背景技術】
【０００２】
従来、コンクリート床版等のコンクリート構造物であって、支柱状の構造体を着脱可能に支持できるようにしたものについては、種々の構造のものが提案されている（例えば、特許文献１参照。）。図４は、仮設用手摺り（支柱構造体）をコンクリート床版（コンクリート構造物）に取り付けた様子の一例を示す断面図であり、符号２０はコンクリート床版を示し、符号２３は仮設用手摺りを示し、符号２４は、コンクリート床版２０を挟持して仮設用手摺り２３を固定できるように構成された挟持部を示す。
【先行技術文献】
【特許文献】
【０００３】
【特許文献１】特開２００３−２３９５２９号公報
【発明の概要】
【発明が解決しようとする課題】
【０００４】
しかしながら、上記の従来品の場合には、仮設用手摺り２３が面方向（矢印Ｂで示す方向）に移動しないように、挟持部２４の締め付け力を十分に確保しておかなければならないという問題があった。
【０００５】
本発明は、上述の問題を解消することのできるコンクリート構造物及び支柱構造体を提供することを目的とするものである。
【課題を解決するための手段】
【０００６】
請求項１に係る発明は、図１(a) (b) に例示するものであって、支柱状である支柱構造体（３）を着脱可能に支持できるように構成されたコンクリート構造物（１）において、
前記支柱構造体（３）の基端部（３ａ）を装入できるように構成された被装入手段（４）、
を備え、
該被装入手段（４）は、前記支柱構造体（３）が挿入される挿入部（４ａ１）と、該支柱構造体（３）が螺入される螺入部（４ａ２）と、を前記支柱構造体（３）の装脱方向（Ａ）に沿って有することを特徴とする。
【０００７】
請求項２に係る発明は、請求項１に係る発明において、前記被装入手段（４）は、前記支柱構造体（３）を装入できる、鋼製の筒状部材であり、
前記螺入部（４ａ２）は、前記支柱構造体（３）の基端部に形成されたネジ部（３ａ２）に螺合され得るように突出された突起部（４ｃ）を有することを特徴とする。
【０００８】
請求項３に係る発明は、請求項２に係る発明において、前記コンクリート構造物（１）の略全体の外形を形成する構造物本体（２）、を備え、
前記被装入手段（４）は、前記支柱構造体（３）を装入することのできる装入穴（４ｂ）を形成した状態で前記構造物本体（２）内に埋設されてなることを特徴とする。
【０００９】
請求項４に係る発明は、請求項２に係る発明において、前記コンクリート構造物（１）の略全体の外形を形成する構造物本体（２）と、
前記コンクリート構造物（１）を吊り上げるための吊り上げ用部材（図２(a) の符号１１参照）と、
を備え、
前記被装入手段（図２(a) (b) の符号１４参照）は該吊り上げ用部材（１１）に取り付けられてなることを特徴とする。
【００１０】
請求項５に係る発明は、請求項１に係る発明において、前記支柱構造体（３）が前記被装入手段（４）に装入された状態で、該支柱構造体（３）側のネジ部（３ａ２）が前記被装入手段（４）側の螺入部（４ａ２）よりも、該被装入手段（４）の奥側に配置されるように構成されたことを特徴とする。
【００１１】
請求項６に係る発明は、請求項１乃至５のいずれか１項に記載の発明において、前記支柱構造体（３）が、複数のパイプ部材（３０，３１）が連結されて構成されていることを特徴とする。
【００１２】
請求項７に係る発明は、前記挿入部（４ａ１）に挿入される被挿入部（３ａ１）と、前記螺入部（４ａ２）に螺入されるネジ部（３ａ２）と、を備え、
請求項１乃至６のいずれか１項に記載のコンクリート構造物（１，１０）における前記被装入手段（４，１４）に着脱可能に支持されることを特徴とする支柱構造体に関する。
【００１３】
なお、括弧内の番号などは、図面における対応する要素を示す便宜的なものであり、従って、本記述は図面上の記載に限定拘束されるものではない。
【発明の効果】
【００１４】
請求項１，３，４，６及び７に係る発明によれば、前記装脱方向に直交する方向への支柱構造体の移動は、前記被装入手段により阻止することができる。
【００１５】
請求項２に係る発明によれば、突起部はポンチ加工により簡単に形成できるので、被装入手段の製造が簡単になるという効果を奏する。
【００１６】
請求項５に係る発明によれば、支柱構造体が被装入手段に確実に支持されているかは、支柱構造体を軸方向に往復動させるだけで簡単に確認することができる。
【図面の簡単な説明】
【００１７】
【図１】図１(a) は、本発明に係るコンクリート構造物等の構造の一例を示す断面図であり、同図(b)は、その拡大断面図である。
【図２】図２(a) は、本発明に係るコンクリート構造物等の構造の他の例を示す断面図であり、同図(b)は、被装入手段の外観を示す斜視図である。
【図３】図３(a) 〜(c) は、支柱構造体の装入状態の種々の態様を示す断面図である。
【図４】図４は、仮設用手摺り（支柱構造体）をコンクリート床版（コンクリート構造物）に取り付けた様子の一例を示す断面図である。
【発明を実施するための形態】
【００１８】
以下、図１乃至図３に沿って、本発明の実施の形態について説明する。
【００１９】
本発明に係るコンクリート構造物は、支柱状の構造体（以下、“支柱構造体”とする）を着脱可能に支持できるように構成されている。なお、本明細書におけるコンクリート構造物とは、コンクリート製の床版や壁や梁や柱等を含む概念であり、工場で製造する物（いわゆるプレキャスト製品）だけでなく、現場で製造する物（いわゆる現場打ち品）も含む概念である。また、本明細書における支柱構造体とは、
・  建物を構築する際に床版に一時的に立設される仮設用手摺りや、
・  建物を構築する際に床版や壁や柱に一時的に取り付けられる支柱
などを含む概念である。
【００２０】
本発明に係るコンクリート構造物は、図１(a) (b) に符号１で例示するものであって、
・  該コンクリート構造物１の略全体の外形を形成する構造物本体２（例えば、コンクリートや鉄筋で構成された複合体）と、
・  支柱構造体３の基端部３ａを装入できるように構成された被装入手段４と、
を備えている。そして、この被装入手段４は、前記支柱構造体３の装脱方向Ａに沿って、
・  前記支柱構造体３が挿入される挿入部４ａ１と、
・  該支柱構造体３が螺入される螺入部４ａ２と、
を有している。図１(a) (b) に示す被装入手段４は、前記支柱構造体３を装入できる、鋼製の筒状部材であって、前記支柱構造体３を装入することのできる装入穴４ｂを形成した状態で前記構造物本体内に埋設されている。なお、コンクリート構造物がプレキャスト製品の場合には、該構造物をクレーンで吊り上げるための吊り上げ用部材（例えば、吊り上げ用のアイボルトを螺合するためのナット部材。図２(a)
の符号１１参照）が構造物本体中に埋設されているのが一般的であるが、その吊り上げ用部材１１（つまり、吊り上げ作業が終了してアイボルトが外された状態の吊り上げ用部材）に被装入手段１４（例えば、前記支柱構造体３を装入できる、鋼製の筒状部材）を取り付けるようにしても良い。この場合の被装入手段は、図２(b)
に詳示するように、
・  吊り上げ用部材１１に螺合されるボルト部１４ａと、
・  鋼製の筒状部材１４ｂと、
により構成すると良い。そして、該筒状部材１４ｂには、上述の挿入部や螺入部を設けておくと良い。
【００２１】
ところで、上述の螺入部４ａ２は、支柱構造体３の基端部に形成されたネジ部３ａ２に螺合されるようなネジ部にしても良いが、図１(b) に符号４ｃで示すような突起部としても良い。そのような突起部４ｃはポンチ加工により簡単に形成できるので、被装入手段４の製造が簡単になるという効果を奏する。
【００２２】
図１(a) (b) や図２(a) (b) に示すコンクリート構造物１，１０では、被装入手段４，１４の内部に支柱構造体３を装入するように構成されているが、その逆の構成（被装入手段の側にではなく支柱構造体の側に装入穴を形成しておいて、被装入手段を支柱構造体の装入穴に装入する構成）にしても良い。したがって、本明細書における“装入”とは、その両者、つまり、
・  図１(a) (b) 及び図２(a) に示すように、被装入手段４，１４に支柱構造体３を入れることによって該支柱構造体３を装着する態様と、
・  その逆の態様（つまり、支柱構造体に被装入手段を入れることによって該支柱構造体を装着する態様）
の両方を含む概念である。また、本明細書における“挿入”とは、
・  図１(a) (b) 及び図２(a) に示すように、被装入手段４，１４に支柱構造体３を挿し込むことによって入れる態様と、
・  その逆の態様（つまり、支柱構造体に被装入手段を挿し込むことによって入れる態様）
の両方を含む概念であって、挿入部にて被装入手段と支柱構造体とが接触しているか否かは問わない。さらに、本明細書における“螺入”とは、
・  図１(a) (b) 及び図２(a) に示すように、支柱構造体３を被装入手段４，１４にねじ入れる態様と、
・  その逆の態様（つまり、被装入手段を支柱構造体にねじ入れる態様）
の両方を含む概念である。
【００２３】
なお、上述のような被装入手段４，１４に装入する支柱構造体３の基端部には、
・  該被装入手段４，１４の挿入部（図１(b) の符号４ａ１参照）に挿入される被挿入部（同図の符号３ａ１参照）と、
・  該被装入手段４，１４の螺入部（図１(b) の符号４ａ２参照）に螺合されるネジ部（同図の符号３ａ２参照）と、
を形成しておくと良い。この場合、被装入手段側の螺入部の長さ寸法（符号４ａ２で示す寸法）と、支柱構造体側のネジ部の長さ寸法（符号３ａ２で示す寸法）とを短くしておけば（つまり、ピッチ数を少なくしておけば）、支柱構造体３を装脱着する際に回す回数を少なくでき、その作業を容易にすることができる。この支柱構造体は、単一の部材（例えば、１本のパイプ部材）で構成しても良いが、複数の部材（例えば、複数のパイプ部材）を連結して構成しても良い。図１(a) に示す支柱構造体は複数の部材で構成されており、符号３０は、両端にネジが切られた連結パイプを示し、符号３１は、いわゆる単管パイプを示す。このような連結パイプ３０を使用すれば、色々な長さの単管パイプを接続し、支柱構造体の長さを自由に変更できる。
【００２４】
ところで、支柱構造体側のネジ部３ａ２は、当然ながら、被装入手段４に装入する際に螺入部４ａ２に螺合される位置に形成されている必要がある。例えば、ネジ部３ａ２が、図３(a) に示すように支柱構造体３の先端（図では下端）に形成されている場合には、螺入部４ａ２は被装入手段４の奥側（図では下側）に形成しておく必要があり、ネジ部３ａ２が図３(b)
に示す位置（つまり、先端よりも少し離れた位置）に形成されている場合には、螺入部４ａ２は、それに対応した位置に形成しておく必要がある。さらには、図３(c)
に示すように、前記支柱構造体３が前記被装入手段４に装入された状態で、該支柱構造体側のネジ部３ａ２が前記被装入手段側の螺入部４ａ２よりも、該被装入手段４の奥側に配置されるように構成しても良い。以下、このような構成の効果について説明する。
【００２５】
いま、図３(a) や(b) に示す構造のものでは、支柱構造体３がコンクリート構造物１に装着されている時は支柱構造体３のネジ部３ａ２は被装入手段４の螺入部４ａ２に螺合されることとなる。この場合、ネジ部３ａ２が螺入部４ａ２に  ほんの少しだけ係止されてさえいれば、支柱構造体３は被装入手段４から抜けることは無いが、該支柱構造体３が僅かに回転されただけでネジ部３ａ２と螺入部４ａ２との係合が外れてしまうおそれもある。そして、ネジ部３ａ２と螺入部４ａ２とが確実に係合状態にあるかどうかを確かめるには、支柱構造体３を掴んで“閉じ方向”に強く回転させる必要があり、その作業が煩雑であるという問題がある。これに対し、図３(c)
に示すような構成にすれば、支柱構造体３がコンクリート構造物１に装着されている時は支柱構造体３のネジ部３ａ２は被装入手段４の螺入部４ａ２に螺合されてはおらず、該支柱構造体３は  矢印Ａに示す方向に  上下に僅かながらも“遊び”がある状態となる（当然ながら、支柱構造体３における、ネジ部３ａ２以外の部分と螺入部４ａ２との間に隙間が形成されている必要がある）。つまり、矢印Ａで示す方向に支柱構造体３を上下動させれば  該支柱構造体３は動くものの、被装入手段４から抜け出ることは無いという状態になる。したがって、支柱構造体３を抜こうとして抜けなければ、該支柱構造体３は被装入手段４に確実に支持されていることとなり、その確認作業を容易に行えるという効果がある。なお、その場合、支柱構造体３は、被装入手段４に支持されている状態でも軸方向Ａには多少移動することとなるが、そのような遊びが問題にならない場合も多い。例えば、図１(a)
に示すように、コンクリート構造物としてのコンクリート床版１の端縁部に被装入手段４を設け、該被装入手段４に支柱構造体３を立設させて仮設の手摺りと利用するような場合は、該支柱構造体３には、水平方向の力や下方向の力は作用するものの、上方向の力は作用しないのが普通である。したがって、このような使用態様の場合には、図３(c)
に示すような構造は適している。
【符号の説明】
【００２６】
１            コンクリート構造物
２            構造物本体
３            支柱構造体
３ａ          基端部
３ａ１        被挿入部
３ａ２        ネジ部
４            被装入手段
４ａ１        挿入部
４ａ２        螺入部
４ｂ          装入穴
４ｃ          突起部
１０          コンクリート構造物
１１          吊り上げ用部材
１４          被装入手段
３０          パイプ部材
３１          パイプ部材
Ａ            支柱構造体の装脱方向
【図１】
2010248796.tif 000003
【図２】
2010248796.tif 000004
【図３】
2010248796.tif 000005
【図４】
2010248796.tif 000006